(57)【要約】【課題】美容院，理髪店等の店舗において顧客の髪型を決定する際に使用される髪型決定支援システムについて、顧客と美容師，理髪師とが中途打合わせとしてセットする髪型を決定することを支援することができ、しかもセットする髪型の細部までの決定を支援することができるようにする。【解決手段】顧客ごとに過去にセットされた髪型の撮像データが記憶されたサーバ１を備えている。サーバ１には、無線通信回線４を介して表示端末機５が接続されている。サーバは、過去にセットされた髪型が複数の角度から撮像され撮像日ごとに複数の撮像データを並列して表示することのできるファイル６として記憶されたデータベース２を有している。表示端末機５は、携帯性を有してサーバ１のデータベース２に記憶されているファイル６を閲覧可能に表示するディスプレイ５１ａ，５２ａを有している。【選択図】図１
2010191831.tif 000002
【特許請求の範囲】
【請求項１】
顧客ごとに過去にセットされた髪型の撮像データが記憶されたサーバを備えた髪型決定支援システムにおいて、サーバに無線通信回線を介して表示端末機が接続され、サーバは過去にセットされた髪型が複数の角度から撮像され撮像日ごとに複数の撮像データを並列して表示することのできるファイルとして記憶されたデータベースを有し、表示端末機は携帯性を有してサーバのデータベースに記憶されているファイルを閲覧可能に表示するディスプレイを有していることを特徴とする髪型決定支援システム。
【請求項２】
請求項１の髪型決定支援システムにおいて、ファイルは各顧客の表示のトップ画面に並列された撮像日が選択されることによって各撮像日の画面が開かれることを特徴とする髪型決定支援システム。
【請求項３】
請求項１または２の髪型決定支援システムにおいて、ファイルは過去にセットされた髪型の少なくとも正面，背面，側面の３つの角度の撮像データを含むことを特徴とする髪型決定支援システム。
【請求項４】
請求項１〜３のいずれかの髪型決定支援システムにおいて、ファイルは撮像データとともに表示されセットされた髪型の必要事項を説明する文字データを含むことを特徴とする髪型決定支援システム。
【請求項５】
請求項１〜４のいずれかの髪型決定支援システムにおいて、表示端末機は顧客が使用するファイルの閲覧専用の顧客用表示端末機と店舗が使用するファイルの閲覧とファイルへのデータ入力との双方を実行できる店舗用表示端末機とからなることを特徴とする髪型決定支援システム。
【請求項６】
請求項１〜５のいずれかの髪型決定支援システムにおいて、無線通信回線は携帯電話通信網であり、表示端末機は携帯電話であることを特徴とする髪型決定支援システム。
【発明の詳細な説明】
【技術分野】
【０００１】
本発明は、美容院，理髪店等の店舗において顧客の髪型を決定する際に使用される髪型決定支援システムに係る技術分野に属する。
【背景技術】
【０００２】
最近、パーソナルコンピュータに画像処理系のソフトウエアをインストールして顧客の顔写真に種々の髪型を合成表示し、合成表示の中からセットする髪型を選択して決定することが行われている。この髪型の決定手段では、店舗（美容師，理髪師）と顧客との双方がセットする髪型を具体的に把握することができて、顧客の要求する髪型とセットされた髪型とが相違してしまうのを避けることができるという利点がある。然しながら、合成表示がバーチャルで微妙なイメージまで把握することができないため、セットされた髪型について顧客が完全に満足できないことが起こるという不具合がある。このため、非バーチャルな表示によって微妙なイメージまで把握して髪型を決定することができるように支援する技術の開発が要望されている。
【０００３】
従来、非バーチャルな表示によって微妙なイメージまで把握して髪型を決定することができるように支援することを指向した技術としては、例えば、以下に記載のものが知られている。
【０００４】
下記特許文献１には、顧客の過去にセットされた髪型の撮像データを記憶させたサーバと、店舗に設置されてディスプレイにサーバに記憶されている髪型の撮像データを表示するパーソナルコンピュータとを備えた髪型決定支援システムが記載されている。
【０００５】
下記特許文献１に係る髪型決定支援システムは、顧客が髪型の決定に際して過去にセットされてお気に入りとなっている髪型を参考にするという経験則を踏まえたもので、過去にセットされた髪型を簡単にパーソナルコンピュータのディスプレイに表示できるようにすることで、非バーチャルな表示によって微妙なイメージまで把握して髪型を決定することができるように支援するものである。
【０００６】
下記特許文献２には、顧客の過去の複数日にセットされた髪型の撮像データをそれぞれ記憶させたカードと、髪型の撮像データをカードに対して書込み，読出しするカードリーダライタと、ディスプレイにカードから読出された複数の髪型の撮像データを表示するパーソナルコンピュータとを備えた髪型決定支援システムが記載されている。
【０００７】
下記特許文献２に係る髪型決定支援システムは、特許文献１に係る髪型決定支援システムと共通の技術的な考えに基づくもので、過去の複数日にセットされた髪型を簡単にパーソナルコンピュータのディスプレイに並列して表示できるようにすることで、非バーチャルな表示によって微妙なイメージまで把握して髪型を決定することができるように支援するものである。
【先行技術文献】
【特許文献】
【０００８】
【特許文献１】特開２００１−３４４３３６号公報
【特許文献２】特開平５−４０８５８号公報
【発明の概要】
【発明が解決しようとする課題】
【０００９】
前記特許文献１，２に係る髪型決定支援システムでは、美容台，調髪台に顧客が着座する前に、美容台，調髪台から離れた場所に設置されているパーソナルコンピュータのディスプレイに顧客または美容師，理髪師が操作して過去にセットされた髪型を表示し、顧客と美容師，理髪師とが事前打合わせとしてセットする髪型を決定することを支援することができるものである。従って、美容台，調髪台に着座し髪型のセットを受けている顧客が自ら操作したり髪型のセットを行っている美容師，理髪師が操作して過去にセットされた髪型を表示することができないため、顧客と美容師，理髪師とが中途打合わせとしてセットする髪型を決定することを支援することができないという問題点がある。
【００１０】
また、前記特許文献１，２に係る髪型決定支援システムでは、過去にセットされた髪型を表示しても髪型の詳細部まで把握することが困難であるため、セットする髪型の詳細部までの決定を支援するものとはならないという問題点がある。
【００１１】
本発明は、このような問題点を考慮してなされたもので、顧客と美容師，理髪師とが中途打合わせとしてセットする髪型を決定することを支援することができ、しかもセットする髪型の詳細部までの決定を支援することのできる髪型決定支援システムを提供することを課題とする。
【課題を解決するための手段】
【００１２】
前述の課題を解決するため、本発明に係る髪型決定支援システムは、特許請求の範囲の各請求項に記載の手段を採用する。
【００１３】
即ち、請求項１では、顧客ごとに過去にセットされた髪型の撮像データが記憶されたサーバを備えた髪型決定支援システムにおいて、サーバに無線通信回線を介して表示端末機が接続され、サーバは過去にセットされた髪型が複数の角度から撮像され撮像日ごとに複数の撮像データを並列して表示することのできるファイルとして記憶されたデータベースを有し、表示端末機は携帯性を有してサーバのデータベースに記憶されているファイルを閲覧可能に表示するディスプレイを有していることを特徴とする。
【００１４】
この手段では、携帯性を有する表示端末機を備えることで、美容台，調髪台に着座し髪型のセットを受けている顧客が自ら操作して過去にセットされた髪型を表示することができる。また、表示端末機に表示されて閲覧される髪型の撮像データが複数の角度から撮像されたものとされることで、過去にセットされた髪型の詳細部まで把握することができるようになる。
【００１５】
また、請求項２では、請求項１の髪型決定支援システムにおいて、ファイルは各顧客の表示のトップ画面に並列された撮像日が選択されることによって各撮像日の画面が開かれることを特徴とする。
【００１６】
この手段では、各顧客の表示のトップ画面から各撮像日の画面に入るようにされることで、階層化された汎用の表示操作が実行される。
【００１７】
また、請求項３では、請求項１または２の髪型決定支援システムにおいて、ファイルは過去にセットされた髪型の少なくとも正面，背面，側面の３つの角度の撮像データを含むことを特徴とする。
【００１８】
この手段では、撮像データとして過去にセットされた髪型の少なくとも正面，背面，側面の３つの角度が含まれることで、過去にセットされた髪型の全体が網羅された撮像データとなる。
【００１９】
また、請求項４では、請求項１〜３のいずれかの髪型決定支援システムにおいて、ファイルは撮像データとともに表示されセットされた髪型の必要事項を説明する文字データを含むことを特徴とする。
【００２０】
この手段では、撮像データとともにセットされた髪型の必要事項を説明する文字データが表示されることで、過去にセットされた髪型を詳細に把握することができるようになる。
【００２１】
また、請求項５では、請求項１〜４のいずれかの髪型決定支援システムにおいて、表示端末機は顧客が使用するファイルの閲覧専用の顧客用表示端末機と店舗が使用するファイルの閲覧とファイルへのデータ入力との双方を実行できる店舗用表示端末機とからなることを特徴とする。
【００２２】
この手段では、顧客が使用する顧客用表示端末機をファイルの閲覧専用とすることで、顧客によるファイルへの入力が阻止される。
【００２３】
また、請求項６では、請求項１〜５のいずれかの髪型決定支援システムにおいて、無線通信回線は携帯電話通信網であり、表示端末機は携帯電話であることを特徴とする。
【００２４】
この手段では、無線通信回線が携帯電話通信網とされ表示端末機が携帯電話とされることで、既存の通信表示設備が利用される。
【発明の効果】
【００２５】
本発明に係る髪型決定支援システムは、携帯性を有する表示端末機を備えることで、美容台，調髪台に着座し髪型のセットを受けている顧客が自ら操作して過去にセットされた髪型を表示することができるため、顧客と美容師，理髪師とが中途打合わせとしてセットする髪型を決定することを支援することができる効果がある。また、表示端末機に表示されて閲覧される髪型の撮像データが複数の角度から撮像されたものとされることで、過去にセットされた髪型の詳細部まで把握することができるようになるため、セットする髪型の詳細部までの決定を支援することができる効果がある。
【００２６】
さらに、請求項２として、各顧客の表示のトップ画面から各撮像日の画面に入るようにされることで、階層化された汎用の表示操作が実行されるため、過去にセットされた髪型の表示操作が容易である効果がある。
【００２７】
さらに、請求項３として、撮像データとして過去にセットされた髪型の少なくとも正面，背面，側面の３つの角度が含まれることで、過去にセットされた髪型の全体が網羅された撮像データとなるため、セットする髪型の詳細部までの決定をより有効に支援することができる効果がある。
【００２８】
さらに、請求項４として、撮像データとともにセットされた髪型の必要事項を説明する文字データが表示されることで、過去にセットされた髪型を詳細に把握することができるようになるため、セットする髪型の詳細な決定を支援することができる効果がある。
【００２９】
さらに、請求項５として、顧客が使用する顧客用表示端末機をファイルの閲覧専用とすることで、顧客によるファイルへの入力が阻止されるため、サーバのデータベースのセキュリティが確保される効果がある。
【００３０】
さらに、請求項６として、無線通信回線が携帯電話通信網とされ表示端末機が携帯電話とされることで、既存の通信表示設備が利用されるため、設備コストが安価となる効果がある。
【図面の簡単な説明】
【００３１】
【図１】本発明に係る髪型決定支援システムを実施するための形態の構成ブロック図である。
【図２】図１の表示端末機における表示画面図である。
【図３】図１のデータベースに記憶されるファイルの作成のフローチャートである。
【図４】図３と別の手法によるファイルの作成のフローチャートである。
【図５】図１のデータベースに記憶されているファイルの閲覧のフローチャートである。
【図６】図１の店舗における使用例のフローチャートである。
【発明を実施するための形態】
【００３２】
以下、本発明に係る髪型決定支援システムを実施するための形態を図面に基づいて説明する。
【００３３】
この形態では、美容院からなる店舗での使用に好適なものを示してある。
【００３４】
この形態は、図１に示すように、サーバ１，データベース２，通信端末３，無線通信回線４，表示端末機５で構成されている。
【００３５】
サーバ１は、中央処理部，メモリ，入力部，出力部，表示部等を備えたコンピュータからなるもので、ＯＳ（Operating System）に加えてアプリケーションソフトウエアとしてテキストデータにイメージデータを貼付ける等してテキストデータ，イメージデータを共通の画面として表示するファイルを作成することのできる編集用ソフトウエアがインストールされている。このサーバ１は、データベース２へのアクセスのセキュリティ機能を備えて、店舗または店舗を統合管理する管理センタに設置される。
【００３６】
データベース２は、サーバ１に外部接続されまたはサーバ１に内蔵されたハードディスク等からなるもので、顧客ごとに顧客データ６が表示端末機５に表示できるようなファイルとして記憶されている。ファイル化された顧客データ６は、図２に示すように、少なくとも閲覧用トップ画面６１，各撮像日画面６２に階層化されている。閲覧用トップ画面６１は、少なくとも会員氏名６１ａ，会員番号６１ｂ，撮像日６１ｃが表示される。撮像日６１ｃは、過去にセットされた髪型を撮像した複数の日付が並列されて選択によって各撮像日画面６２に移行することができるように設定されている。各撮像日画面６２は、少なくとも会員氏名６２ａ，会員番号６２ｂ，撮像日６２ｃ，撮像データ６２ｄ，文字データ６２ｅが表示される。撮像データ６２ｄは、セットされた髪型が複数の角度（髪型の少なくとも正面，背面，側面の３つの角度）から撮像されて並列して表示されるようになっている。なお、特殊な髪型の場合等には、髪型全体に加えて部分的に拡大した撮像を加えることもできる。文字データ６２ｅは、セットされた髪型を説明する内容からなるもので、例えばカット，染色，パーマ，エクステンション，担当者名，アドバイスメモが挙げられる。
【００３７】
通信端末３は、サーバ１に有線または無線で接続され無線通信回線４に無線で接続されるモデム，ルータ機能を備えた通信端末器からなる。この通信端末３の通信構造は、無線通信回線４に対応して選択される。
【００３８】
無線通信回線４は、サーバ１（通信端末３）と表示端末機５との間で無線によるデータ通信網を構築するもので、小規模のＬＡＮから広域の公衆性をもったコンピュータネットワークまで選択可能である。この無線通信回線４については、構築コストを低減するため、好ましくは普及している既存の携帯電話通信網を利用する。
【００３９】
表示端末機５は、店舗である美容院が使用する店舗用表示端末機５１と、顧客が使用する顧客用表示端末機５２とからなる。店舗用表示端末機５１は、携帯性を有してサーバ１のデータベース２に記憶されている顧客データ６（ファイル）を閲覧可能に表示するディスプレイ５１ａと、顧客データ６の閲覧と顧客データ６へのデータ入力との双方を操作することのできる操作部５１ｂとを有している。顧客用表示端末機５２は、携帯性を有してサーバ１のデータベース２に記憶されている顧客データ６を閲覧可能に表示するディスプレイ５２ａと、顧客データ６の閲覧を操作することのできる操作部５２ｂとを有している。
【００４０】
この表示端末機５ついては、携帯電話通信網からなる無線通信回線４に対応して、好ましくは普及している携帯電話（店舗用表示端末機５１としてはカメラ付きの携帯電話）を利用する。店舗用表示端末機５１の操作部５１ｂと顧客用表示端末機５２の操作部５２ｂとの機能の相違については、サーバ１に設定されるセキュリティによって、例えば、マスタパスワードを使用したアクセスの場合に顧客データ６へのデータ入力を行う前述の編集用ソフトウエアの起動を許可し、顧客ごとのパスワードを使用したアクセスの場合に顧客データ６へのデータ入力を行う前述の編集用ソフトウエアの起動を許可しないこととし、ソフト面で差別化することができる。
【００４１】
この形態では、図３に示すように、美容院で顧客に髪型をセットした際に、美容院側（美容師）が顧客の髪型を複数の角度からカメラ等で撮像する。そして、サーバ１にアクセスして、編集用ソフトウエアを起動して髪型をセットした日付（撮影日）のファイル（顧客データ６）の作成を選択し、会員氏名，会員番号，撮像日に加えて撮像データ，文字データを入力する。この後、ファイルを顧客ごとのデータベース２に記憶させる。
【００４２】
なお、表示端末機５の店舗用表示端末機５１としてカメラ付きの携帯電話を利用する場合には、図４に示すように、携帯電話からサーバ１にアクセスしておいてから、顧客の髪型の撮像等の作業を実施することができる。
【００４３】
ファイル化されてサーバ１のデータベース２に記憶されている顧客データ６は、図５に示すように、サーバ１にアクセスして、サーバ１の入力部から閲覧用トップ画面６１を表示して閲覧しようとする撮像日６１ｃを選択することで各撮像日画面６２を閲覧することができる。なお、各撮像日画面６２を閉じて閲覧用トップ画面６１に戻ることにより、他の各撮像日画面６２を閲覧することができる。この閲覧については、表示端末機５が携帯電話であると、店舗用表示端末機５１，顧客用表示端末機５２の双方でサーバ１が停止されている場合を除いて時間的，地理的制約なしに行うことができる。
【００４４】
従って、この形態によると、特許文献１，２に係る髪型決定支援システムと同様に、美容台に顧客が着座する前に美容台から離れた場所（例えば応接スペース）で、顧客が表示端末機５の顧客用表示端末機５２のディスプレイ５２ａに顧客データ６の各撮像日画面６２を表示させるか、美容師が表示端末機５の顧客用表示端末機５１のディスプレイ５１ａに顧客データ６の各撮像日画面６２を表示させるかによって、過去にセットされた髪型を表示して、顧客と美容師とが事前打合わせとしてセットする髪型を決定することを支援することができる。また、図６に示すように、美容台に顧客が着座してセットが始まった後において、同様に過去にセットされた髪型を表示して、顧客と美容師とが中途打合わせとしてセットする髪型を決定することを支援することができる。即ち、表示端末機５が携帯電話のような携帯性を有してサーバ１と無線で通信されるものであるため、美容台に顧客が着座した後に過去にセットされた髪型の閲覧が可能になる。
【００４５】
なお、顧客は、自宅等で表示端末機５の顧客用表示端末機５２から顧客データ６の各撮像日画面６２を閲覧して、予め髪型を選択しておくこともできる。
【００４６】
また、表示される過去にセットされた髪型である顧客データ６の各撮像日画面６２の撮像データ６２ｄが複数の角度から撮像されて並列されたものであるから、過去にセットされた髪型の詳細部まで把握することができるようになる。従って、セットする髪型の詳細部までの決定を支援することができる。また、文字データ６２ｅであるカット，染色，パーマ，エクステンション，担当者名，アドバイスメモは、決定された髪型についての美容師のセット作業の容易化に寄与する。
【００４７】
以上、図示した形態の外に、理髪店等で実施することも可能である。
【００４８】
さらに、無線通信回線４，表示端末機５として店舗の内部の専用のものを使用することも可能である。
【００４９】
さらに、顧客データ６として過去にセットされた髪型の動画やセット作業の動画を含めることも可能である。
【符号の説明】
【００５０】
１            サーバ
２            データベース
３            通信端末
４            無線通信回線
５            表示端末機
５１          店舗用表示端末機
５１ａ        ディスプレイ
５２          顧客用表示端末機
５２ａ        ディスプレイ
６            顧客データ（ファイル）
６２ｄ        撮像データ
６２ｅ        文字データ
【図１】
2010191831.tif 000003
【図２】
2010191831.tif 000004
【図３】
2010191831.tif 000005
【図４】
2010191831.tif 000006
【図５】
2010191831.tif 000007
【図６】
2010191831.tif 000008